(57)【要約】【課題】部品コストを低く抑えることができるとともに、冷媒入口穴を容易に加工することができ、冷媒入口穴における圧力損失を低減することも可能なレシーバドタンクを提供する。【解決手段】筒状の本体２と、本体２の一端に装着され冷媒入口穴３ａ及び冷媒出口穴３ｂを有するヘッダ３とを備え、冷媒出口穴３ｂはヘッダ３の中心に対して偏心した位置に形成され、冷媒出口穴３ｂを覆うストレーナ６がヘッダ３に固定されるレシーバドライヤ１であって、ヘッダ３には、その中心に対して偏心して冷媒出口穴３ｂを取り囲むリブ３ｅが突設され、リブ３ｅを介してストレーナ６がかしめ固定される。ストレーナ６をドーム状の網目状体とすることができ、ストレーナ６の周縁部とリブ３ｅとの間に環状の押さえ部材８を配設することができる。【選択図】図１
2010144935.tif 000002
【特許請求の範囲】
【請求項１】
筒状の本体と、該本体の一端に装着され冷媒入口穴及び冷媒出口穴を有するヘッダとを備え、前記冷媒出口穴は前記ヘッダの中心に対して偏心した位置に形成され、前記冷媒出口穴を覆うストレーナが前記ヘッダに固定されるレシーバタンクであって、
前記ヘッダには、その中心に対して偏心して前記冷媒出口穴を取り囲むリブが突設され、該リブを介して前記ストレーナがかしめ固定されることを特徴とするレシーバタンク。
【請求項２】
前記ストレーナは、ドーム状の網目状体であることを特徴とする請求項１に記載のレシーバタンク。
【請求項３】
前記ストレーナの周縁部と前記リブとの間に環状の押さえ部材が配設されることを特徴とする請求項１又は２に記載のレシーバタンク。
【請求項４】
前記冷媒入口穴と前記冷媒出口穴は、直線状に延設されることを特徴とする請求項１、２又は３に記載のレシーバタンク。
【請求項５】
前記ヘッダは、鍛造により形成されることを特徴とする請求項１乃至４のいずれかに記載のレシーバタンク。
【発明の詳細な説明】
【技術分野】
【０００１】
本発明は、自動車用の空調装置等に使用される冷媒を貯溜するリキッドタンクや、冷媒を貯留するとともに冷媒中の水分を除去するためのレシーバドライヤ等のレシーバタンクに関する。
【背景技術】
【０００２】
従来、この種のレシーバタンクとして、例えば、特許文献１には、下壁に冷媒入口穴及び冷媒出口穴が形成された筒状の本体と、冷媒入口穴の上端開口周辺に形成された凹段部と、この凹陥部内に冷媒の通過によって冷媒の流速を低下させる抵抗層としてのフィルター層と、冷媒出口穴の上端部を閉塞するように配置されたドーム状のストレーナとを備え、冷媒入口穴から流入した冷媒が、フィルター層を上向きに通過し、タンク内空間に液溜まりを生成するとともに、この液溜まりの液冷媒が、冷媒出口穴を通って流出するレシーバドライヤが開示されている。
【０００３】
しかし、上記レシーバドライヤは、ドーム状のストレーナ等を装着するための押さえ部材や、押さえ部材のスポット溶接が必要になるなど、部品点数が多くなるという問題があった。
【０００４】
そこで、図２及び図３に示すように、有蓋円筒状の本体２２と、本体２２の下端に装着されたヘッダ２３とを備え、乾燥剤２５を充填した袋状のバッグ２４を本体２２内に収容し、ヘッダ２３に冷媒入口穴２３ａ及び冷媒出口穴２３ｂを偏心して穿設し、ヘッダ２３の上面全体を覆うようにストレーナ２６を配し、このストレーナ２６をリブ２３ｄでかしめ固定し、本体２２をヘッダ２３に溶接した（溶接部２３ｃ）レシーバドライヤ２１が用いられている。上記構成により、冷媒入口穴２３ａから本体２２内に流入した冷媒中の水分を乾燥剤２５によって吸収するとともに、ストレーナ２６によって異物を除去する。
【０００５】
【特許文献１】特開２００４−２１１９２１号公報
【発明の開示】
【発明が解決しようとする課題】
【０００６】
しかし、上記図２及び図３に示したレシーバドライヤ２１は、ヘッダ２３を一軸回りに回転させながら切削加工し、ヘッダ２３の上面の縁部に冷媒出口穴２３ｂを取り囲むリブ２３ｄを同心状に突設しており、ヘッダ２３にストレーナ２６を装着するにあたって、ヘッダ２３の上面全体を覆うようにストレーナ２６を載置した後、ストレーナ２６をリブ２３ｄによってかしめ固定している。そのため、ストレーナ２６の直径及び曲率半径が大きくなり、ストレーナ２６の強度を確保するにあたり、ストレーナ２６を形成する金網を２枚重ねしてスポット溶接する必要があり、部品コストが上昇するという問題があった。
【０００７】
また、ヘッダ２３の上面全体を覆うようにストレーナ２６が配置されているため、冷媒入口穴２３ａをヘッダ２３の側面に開口するように穿設せざるを得ず、冷媒入口穴２３ａの加工に手間が掛かるとともに、冷媒入口穴２３ａにおける圧力損失が増加するという問題があった。
【０００８】
そこで、本発明は、上記従来の技術における問題点に鑑みてなされたものであって、部品コストを低く抑えることができるとともに、冷媒入口穴を容易に加工することができ、冷媒入口穴における圧力損失を低減することも可能なレシーバタンクを提供することを目的とする。
【課題を解決するための手段】
【０００９】
上記目的を達成するため、本発明は、筒状の本体と、該本体の一端に装着され冷媒入口穴及び冷媒出口穴を有するヘッダとを備え、前記冷媒出口穴は前記ヘッダの中心に対して偏心した位置に形成され、前記冷媒出口穴を覆うストレーナが前記ヘッダに固定されるレシーバタンクであって、該ヘッダには、その中心に対して偏心して前記冷媒出口穴を取り囲むリブが突設され、該リブを介して前記ストレーナがかしめ固定されることを特徴とする。
【００１０】
そして、本発明によれば、ヘッダに、その中心に対して偏心して前記冷媒出口穴を取り囲むリブを突設し、該リブを介して前記ストレーナをかしめ固定したため、ストレーナの寸法を小さくすることができ、例えばストレーナを金網で形成した場合には、従来２枚必要であった金網を１枚とすることができ、部品点数の減少、コスト低減を図ることができる。
【００１１】
前記レシーバタンクにおいて、前記ストレーナをドーム状の網目状体とすることができ、強度の高いストレーナを形成することができる。
【００１２】
前記レシーバタンクにおいて、前記ストレーナの周縁部と前記リブとの間に環状の押さえ部材を配設することができ、この環状の押さえ部材によってかしめ強度を高めることができる。
【００１３】
また、前記レシーバタンクにおいて、前記冷媒入口穴と前記冷媒出口穴を、直線状に延設することができる。これにより、冷媒入口穴と前記冷媒出口穴の加工が容易になるとともに、両穴の部分における圧力損失を小さく抑えることができる。
【００１４】
さらに、前記レシーバタンクにおいて、前記ヘッダを鍛造により形成することにより、後加工が少なくなるので製造コストが低減する。
【発明の効果】
【００１５】
以上のように、本発明によれば、部品コストを低く抑えることができるとともに、冷媒入口穴を容易に加工することができ、冷媒入口穴における圧力損失の小さいレシーバタンクを提供することができる。
【発明を実施するための最良の形態】
【００１６】
次に、本発明の実施の形態について図面を参照して詳細に説明する。
【００１７】
図１は、本発明にかかるレシーバタンクの一実施の形態であるレシーバドライヤを示し、このレシーバドライヤ１は、大別して、有蓋円筒状の本体２と、本体２の下部開口部を封止する円柱状のヘッダ３と、本体２及びヘッダ３内に封入される乾燥剤入りのバッグ４等で構成される。
【００１８】
ヘッダ３は、全体的に鍛造により形成され、冷媒を本体２内に流入させる冷媒入口穴３ａと、本体２内で乾燥した冷媒を外部に排出する冷媒出口穴３ｂとが、ヘッダ３の中心に対して偏心した位置に直線状に穿設される。ヘッダ３の段部３ｃには、本体２の下端部が載置された状態で溶接接合される（溶接部３ｄ）。
【００１９】
ヘッダ３の上面には、その中心に対して偏心し、冷媒出口穴３ｂを取り囲むリブ３ｅが立設され、ドーム状の網目状体であるストレーナ６のフランジ状の周縁部とリブ３ｅとの間に押さえ部材としてのワッシャ８が配設され、ストレーナ６及びワッシャ８がリブ３ｅによってヘッダ３の上面にかしめ固定されている。リブ３ｅが小径であるため、ストレーナ６の直径及び曲率半径を小さくすることができ、ストレーナ６の強度が高いので、ストレーナ６は１枚の金網で形成されている。金網の厚みが小さいため、ワッシャ８を使用してがたつきを押さえているが、従来のように金網を２枚重ねにするより安価である。
【００２０】
バッグ４は、図２及び図３に示したバッグ２４と同様に構成され、内部に乾燥剤５が充填される。
【００２１】
上記レシーバドライヤ１の組み立てに際しては、まず、乾燥剤５を充填したバッグ４を本体２内に装入し、ヘッダ３の段部３ｃに本体２の下端部を載置し、次いで、段部３ｃをアーク溶接加工し、レシーバドライヤ１を完成させる。
【００２２】
上記構成を有するレシーバドライヤ１を用い、冷媒入口穴３ａから本体２内に流入した冷媒中の水分を乾燥剤５によって吸収するとともに、ストレーナ６によって異物を除去する。
【００２３】
以上、本発明の実施の形態を説明したが、本発明は、上記構成に限定されるものではなく、特許請求の範囲に記載された発明の範囲内で種々の変更が可能である。
【００２４】
例えば、ストレーナ６は、ドーム状の網目状体でなくてもよく、例えば、平板状に形成することもできる。また、ストレーナ６の周縁部とリブ３ｅとの間に押さえ部材としてのワッシャ８を設けずに、環状の押さえ部材をストレーナ６に一体に形成してもよい。さらに、冷媒入口穴３ａと冷媒出口穴３ｂについても、必ずしも直線状に延設せずに、曲折させてもよい。また、ヘッダ３は、全体的に鍛造によって形成するのではなく、鍛造以外の加工によって形成することもできる。
【図面の簡単な説明】
【００２５】
【図１】本発明にかかるレシーバドタンクの一実施の形態を示す図であって、（ａ）は全体断面図、（ｂ）はヘッダ及びその近傍の拡大図である。
【図２】従来のレシーバドライヤの一例を示す断面図である。
【図３】図２のレシーバドライヤを構成する各部品を示す図であって、（ａ）は本体の断面図、（ｂ）はバッグの一部破断正面図、（ｃ）はストレーナの正面図、（ｄ）はヘッダの断面図である。
【符号の説明】
【００２６】
１  レシーバドライヤ（レシーバドタンク）
２  本体
３  ヘッダ
３ａ  冷媒入口穴
３ｂ  冷媒出口穴
３ｃ  段部
３ｄ  溶接部
３ｅ  リブ
４  バッグ
５  乾燥剤
６  ストレーナ
８  ワッシャ（押さえ部材）
【図１】
2010144935.tif 000003
【図２】
2010144935.tif 000004
【図３】
2010144935.tif 000005